(57)【要約】      （修正有）【課題】窓や壁面等の任意の場所に設置が可能であり、設置位置から１ｍ程度の近距離での視認に適する動画を表示することができる表示装置を提供する。【解決手段】可撓性を有する透明フィルム１０の表面に、赤色の表示が可能なＬＥＤと、緑色の表示が可能なＬＥＤと、青色の表示が可能なＬＥＤとを含む発光素子２０を横方向及び縦方向に沿って配置する。また、透明フィルムの表面及び裏面には、発光素子と電気的に接続される導電膜３０を成膜し、透明フィルムの表面には、発光素子及び導電膜を覆うように、可撓性を有する保護部が設けられる。ここで、発光素子は略１２ｍｍから略２０ｍｍの間の所定のピッチで配置される。【選択図】図１
0003203462.tif 000002
【実用新案登録請求の範囲】
【請求項１】
可撓性を有する表示部を備えた表示装置であって、
前記表示部は、
可撓性を有する透明フィルムと、
赤色の表示が可能なＬＥＤと、緑色の表示が可能なＬＥＤと、青色の表示が可能なＬＥＤとを含んだ発光素子であって、前記透明フィルムの表面に横方向及び縦方向に沿って複数配置された発光素子と、
前記発光素子と電気的に接続される導電膜であって、前記透明フィルムの前記表面及び前記表面の反対側の裏面に成膜された導電膜と、
前記発光素子及び前記導電膜を覆うように前記表面に設けられた保護部であって、可撓性を有する保護部と、を備え、
前記発光素子は、略１２ｍｍから略２０ｍｍの間の所定のピッチで配置されることを特徴とする表示装置。
【請求項２】
請求項１に記載の表示装置であって、
前記表示部は、第１の方向の長さが１２００ｍｍ以上であり、
前記表示部に動画を表示させるように前記発光素子を点灯させる点灯信号を生成する制御部であって、前記複数の発光素子のうちの隣接する８×８個の発光素子を用いて１つの文字を表示させる制御部を備え、
前記点灯信号は、前記導電膜により前記制御部から前記発光素子へ伝達されることを特徴とする表示装置。
【考案の詳細な説明】
【技術分野】
【０００１】
本考案は、表示装置に関する。
【背景技術】
【０００２】
特許文献１には、透光性且つ絶縁性の平面状の基体と、基体の所定位置に設けられる複数の表示用ＬＥＤと、基体上に成膜され、複数の表示用ＬＥＤの配線となる透明導電膜とを備えることで、離間する表示用ＬＥＤ間の透光性を高めて美観を向上することができるＬＥＤ表示装置が開示されている。また、特許文献１には、表示用ＬＥＤや透明導電膜をシリコン樹脂等で形成される保護膜でコーティングすることが開示されている。
【先行技術文献】
【特許文献】
【０００３】
【特許文献１】特願２００９−１５７０１５号公報
【考案の概要】
【考案が解決しようとする課題】
【０００４】
しかしながら、特許文献１に記載の発明には、実際にＬＥＤ表示装置でどのような表示を行うのか記載されていない。特許文献１に記載の発明は、離間するＬＥＤ間の透光性を高めることが課題となっているが、透光性を高めるためにＬＥＤ間の間隔を広くすると、ＬＥＤ表示装置に表示された画像が不自然となるおそれがある。
【０００５】
本考案はこのような事情に鑑みてなされたもので、窓や壁面等の任意の場所に設置が可能であり、設置位置から１ｍ程度の近距離での視認に適する動画を表示することができる表示装置を提供することを目的とする。
【課題を解決するための手段】
【０００６】
上記課題を解決するために、本考案に係る表示装置は、例えば、可撓性を有する表示部を備えた表示装置であって、前記表示部は、可撓性を有する透明フィルムと、赤色の表示が可能なＬＥＤと、緑色の表示が可能なＬＥＤと、青色の表示が可能なＬＥＤとを含んだ発光素子であって、前記透明フィルムの表面に横方向及び縦方向に沿って複数配置された発光素子と、前記発光素子と電気的に接続される導電膜であって、前記透明フィルムの前記表面及び前記表面の反対側の裏面に成膜された導電膜と、前記発光素子及び前記導電膜を覆うように前記表面に設けられた保護部であって、可撓性を有する保護部と、を備え、前記発光素子は、略１２ｍｍから略２０ｍｍの間の所定のピッチで配置されることを特徴とする。
【０００７】
本考案に係る表示装置によれば、可撓性を有する透明フィルムの表面に、赤色の表示が可能なＬＥＤと、緑色の表示が可能なＬＥＤと、青色の表示が可能なＬＥＤとを含む発光素子を横方向及び縦方向に沿って配置する。ここで、発光素子は、略１２ｍｍから略２０ｍｍの間の所定のピッチで配置される。これにより、設置位置から１ｍ程度の近距離での視認に適する動画を表示することができる。また、透明フィルムの表面及び裏面には、発光素子と電気的に接続される導電膜を成膜し、透明フィルムの表面には、発光素子及び導電膜を覆うように、可撓性を有する保護部が設けられる。これにより、窓や壁面等の任意の場所に設置が可能である。
【０００８】
ここで、前記表示部は、第１の方向の長さが１２００ｍｍ以上であり、前記表示部に動画を表示させるように前記発光素子を点灯させる点灯信号を生成する制御部であって、前記複数の発光素子のうちの隣接する８×８個の発光素子を用いて１つの文字を表示させる制御部を備え、前記点灯信号は、前記導電膜により前記制御部から前記発光素子へ伝達されてもよい。これにより、文字情報が移動するような形態の動画を表示する場合に、滑らかで美しい動画を表示することができる。
【考案の効果】
【０００９】
本考案によれば、窓や壁面等の任意の場所に設置が可能であり、設置位置から１ｍ程度の近距離での視認に適する動画を表示することができる。
【図面の簡単な説明】
【００１０】
【図１】本考案の第１の実施の形態である表示装置１の概略を示す正面図である。
【図２】表示ユニット１Ａの概略を示す要部断面図である。
【図３】領域１Ｃにおける回路図の一例を示す図である。
【図４】動画が表示された表示例である。
【図５】変形例にかかる表示ユニット１Ｄの概略を示す要部断面図である。
【考案を実施するための形態】
【００１１】
以下、本考案の実施形態を、図面を参照して詳細に説明する。図１は、表示装置１の概略を示す正面図である。図２は、表示ユニット１Ａの概略を示す要部断面図である。図２では、断面を示すハッチングを一部省略している。
【００１２】
表示装置１は、主として、可撓性を有する表示ユニット１Ａを複数有する表示部１Ｂと、制御部６０と、を有する。表示装置１においては、表示ユニット１Ａを縦方向、横方向に複数並べて表示部１Ｂを形成する。図１では、表示ユニット１Ａを横方向に３枚並べて表示部１Ｂを形成しているが、表示ユニット１Ａの数や配置はこれに限られない。
【００１３】
表示ユニット１Ａは、主として、透明フィルム１０と、発光素子２０と、導電膜３０と、保護部４０（図２参照）と、フレキシブルプリント基板５０（図１参照）と、を備える。
【００１４】
透明フィルム１０は、可撓性を有する透明なフィルムであり、ＰＥＴ（ポリエチレンテレフタレート）、ＰＥＮ（ポリエチレンナフタレート）、ＰＣ（ポリカーボネート）等の柔軟な樹脂フィルムで形成される。透明フィルム１０の表面（図２における＋ｚ側の面）には、複数の発光素子２０が設けられ、透明フィルム１０の表面及び裏面（図２における−ｚ側の面）には、導電膜３０が設けられる。
【００１５】
透明フィルム１０は、例えば、横方向（図２におけるｘ方向）の長さが６００ｍｍ以上、縦方向（図２におけるｙ方向）の長さが３００ｍｍ以上の大きさである。図２に示す例では、透明フィルム１０の大きさは６００ｍｍ（横方向の長さ）×４８０ｍｍ（縦方向の長さ）である。表示ユニット１Ａの大きさと透明フィルム１０の大きさとは略同一である。
【００１６】
なお、透明フィルム１０は、透明であり、可撓性を有するフィルム基板であれば、材質はＰＥＴ、ＰＥＮ、ＰＣ等に限られない。また、透明フィルム１０の大きさも、例示した大きさに限られず、例えば、６００ｍｍ×６００ｍｍでもよいし、６００ｍｍ×３００ｍｍでもよいし、１２００ｍｍ×６００でもよい。
【００１７】
透明フィルム１０の端部には、フレキシブルプリント基板５０が設けられる。フレキシブルプリント基板５０は、薄い絶縁材（例えば、プラスチックフィルム）を使った可撓性を有するプリント基板であり、一端が導電膜３０と電気的に接続され、他端が制御部６０と電気的に接続される。
【００１８】
発光素子２０は、赤色の表示が可能なＬＥＤ２０ｒ（図３参照）と、緑色の表示が可能なＬＥＤ２０ｇ（図３参照）と、青色の表示が可能なＬＥＤ２０ｂ（図３参照）の３種類のＬＥＤを１個のチップに組み込んだ、いわゆる３ｉｎ１タイプのＬＥＤチップである。図３に示すように、ＬＥＤ２０ｒ、２０ｇ、２０ｂは、それぞれ２個の端子を有し、これらの端子はそれぞれ導電膜３０と電気的に接続される。
【００１９】
図１、２に示すように、発光素子２０は、透明フィルム１０の表面に複数設けられる。発光素子２０は、横方向及び縦方向に沿って２次元状に配置される。最も外側の発光素子２０は、透明フィルム１０の端から略１５ｍｍの位置に設けられ、隣接する発光素子２０は、略１２ｍｍから略２０ｍｍの間の所定のピッチ（例えば、１７．５ｍｍ程度）で設けられる。ここで、ピッチとは、隣り合う画素間の距離である。
【００２０】
なお、略１２ｍｍから略２０ｍｍのうちの最小値である略１２ｍｍは、発光素子２０の大きさに基づいて求められる。また、略１２ｍｍから略２０ｍｍのうちの最大値である略２０ｍｍは、近距離（表示部１Ｂの設置位置から１ｍ程度）で表示部１Ｂに表示された画像を視認したときの画質に基づいて求められる。具体的には、隣接する発光素子２０のピッチが略２０ｍｍの場合とは、視聴者が近距離で表示部１Ｂに表示された動画を見たときに、通常、画像が粗くないと認識される最大のピッチの場合である。製造上の課題（製造しやすさ）及び画質を考慮して、本実施の形態では、隣接する発光素子２０間のピッチを１７．５ｍｍ程度としている。
【００２１】
導電膜３０は、透明フィルム１０の表面及び裏面に成膜される薄膜（例えば、厚さ３５μｍ）である。導電膜３０は、例えば印刷により成膜される。図１に示すように、導電膜３０は、横方向に伸びる配線３０ａと、縦方向に伸びる配線３０ｂと、透明フィルム１０の左右両端に形成される配線３０ｃと、を有する。なお、図１では、導電膜３０を部分的に表示しているが、実際には、導電膜３０は、表示ユニット１Ａ全面に形成されている。
【００２２】
図２に示すように、配線３０ａと、配線３０ｂとは、異なる面に形成される。本実施の形態では、配線３０ａは表面に形成され、配線３０ｂは裏面に形成される。図２に示す例では、配線３０ｃは表面及び裏面に形成されるが、配線３０ｃは一方の面にのみ形成されていてもよい。
【００２３】
次に、表示ユニット１Ａの電気的構成について説明する。本実施の形態では、表示ユニット１Ａを４分割し、４分割した領域毎に１個の回路を形成する。図３は、図１における領域１Ｃにおける回路図の一例を示す図である。なお、図１では、領域１Ｃを示すために表示ユニット１Ａに点線を表示しているが、実際に表示ユニット１Ａが分割等されているわけではない。
【００２４】
配線３０ａは、回路図における配線Ｈ１〜Ｈ８に相当し、配線３０ｂは、回路図における配線Ｖ１〜Ｈ１０に相当する。また、配線３０ｃには、回路図における端子部Ｔ１、Ｔ２が含まれる。
【００２５】
導電膜３０は、ＬＥＤ２０ｒ、２０ｇ、２０ｂの端子とそれぞれ電気的に接続される。配線３０ｂはＬＥＤ２０ｒ、２０ｇ、２０ｂのアノードに接続され、配線３０ａはＬＥＤ２０ｒ、２０ｇ、２０ｂのカソードに接続される。
【００２６】
配線３０ａ、３０ｂの一端は、ＬＥＤ２０ｒ、２０ｇ、２０ｂの端子と接続され、他端は端子部Ｔ１、Ｔ２を介してフレキシブルプリント基板５０（図１参照）と接続される。
【００２７】
図２の説明に戻る。保護部４０は、発光素子２０及び導電膜３０を覆うように、透明フィルム１０の表面に重ねて設けられた樹脂製の部材である。保護部４０は、例えばシリコン樹脂、ポリビニルアセタール樹脂、エポキシ樹脂等の透明な高粘度液体であるコーティング剤を透明フィルム１０の表面上に塗布し、これを硬化させることにより形成される。
【００２８】
表示ユニット１Ａが可撓性を有するようにするため、保護部４０として用いるコーティング剤は、軟質樹脂である必要がある。
【００２９】
図１の説明に戻る。制御部６０は、表示ユニット１Ａに静止画又は動画を表示させるように発光素子２０を点灯させる点灯信号を生成する。制御部６０は、プログラム制御デバイスであるＣＰＵ６１と、不揮発性メモリを含む記憶部６２と、を有し、ＣＰＵ６１は記憶部６２に予め格納されたプログラムに従って動作する。
【００３０】
制御部６０は、表示ユニット１Ａの数に応じた画像を表示ユニット１Ａに表示させるように、点灯信号を生成する。例えば、制御部６０は、表示ユニット１Ａが横方向に２個以上並べられている場合には、表示ユニット１Ａに文字情報（数字やアルファベット等）からなる動画を表示させる点灯信号を生成する。また、例えば、制御部６０は、表示ユニット１Ａが横方向に３個以上並べられている場合には、表示ユニット１Ａに文字情報及び画像情報（絵、図形等）を含む動画を表示させる点灯信号を生成する。なお、制御部６０は、表示部１Ｂに含まれる表示ユニット１Ａの数にかかわらず、表示ユニット１Ａに静止画を表示させる点灯信号を生成する。
【００３１】
制御部６０は、図示しないインターフェースを介して予め画像データを取得して、取得した画像データを記憶部６２に記憶しておき、記憶部６２に記憶された画像データに基づいて点灯信号を生成する。制御部６０が点灯信号を生成する方法はすでに公知であるため、説明を省略する。
【００３２】
制御部６０は、制御部６０に接続された回路の数に基づいて、表示ユニット１Ａの数を判定する。例えば、制御部６０に図３に示す回路が８個接続されている場合には、制御部６０は、表示ユニット１Ａが横方向に２個並べられていると判定する。また、制御部６０に図３に示す回路が２４個接続されている場合には、制御部６０は、表示ユニット１Ａが横方向に３個、縦方向に２個並べられていると判定する。
【００３３】
このようにして生成された点灯信号は、導電膜３０を介して制御部６０から発光素子２０へ伝達される。これにより、表示部１Ｂに画像が表示される。
【００３４】
このような構成を有する表示装置１の使用時には、表示部１Ｂの裏面が壁、窓等に貼着される。図４は、動画が表示部１Ｂに表示された表示例である。図４では、表示部１Ｂのみ表示し、制御部６０については表示を省略している。また、図４では便宜上静止画として表示しているが、実際には文字情報が移動する動画が表示部１Ｂには表示される。また、図４は動画の表示例であるが、静止画の表示が可能であることは言うまでもない。
【００３５】
図４では、空港等の公共施設に設置された動く歩道の、ハンドレール１０１を保持する側板１０２に表示部１Ｂが設置された例である。図４においては、表示部１Ｂが貼付された位置を２点鎖線で示す。図４では、文字情報（ここでは、時刻を示す情報）からなる動画を表示部１Ｂに表示する。
【００３６】
表示部１Ｂは透明であるため、透明なガラスや樹脂の板材に重ねて表示部１Ｂを貼っても美観を損なわない。図４に示す例では、側板１０２及び表示部１Ｂを通してその先の風景が視認できるため、美観が損なわれない。
【００３７】
また、表示部１Ｂは可撓性を有するため、貼付位置に曲面がある場合にも、曲面に沿って表示部１Ｂを設置することができるし、貼付位置に凹凸がある場合にも、凹凸を覆うように表示部１Ｂを設置することができる。図４に示す場合には、側板のつなぎ目（凹凸を有する）をまたぐように表示部１Ｂを設置することができる。
【００３８】
表示部１Ｂは、裏面が側板１０２、窓、壁等に貼付されるため、表面が露出する。表示部１Ｂの表面には保護部４０が設けられているため、発光素子２０や導電膜３０がむき出しにならず、風雨や衝撃等から発光素子２０や導電膜３０を保護することができる。
【００３９】
なお、図４に示す例では、透明な側板１０２の上に表示部１Ｂを貼付したが、透明でない壁等に表示部１Ｂを貼付してもよいし、透明な部分と透明でない部分とを含む壁等に表示部１Ｂを貼付してもよい。表示部１Ｂは透明であるため、画像を表示していない状態において、透明な部分及び透明でない部分を覆うように表示部１Ｂを設置しても不自然ではない。また、透明な部分及び透明でない部分の境界に関わらず画像を表示するため、表示部１Ｂに画像を表示した状態においても不自然ではない。
【００４０】
このように、本実施の形態によれば、窓や壁面等の任意の場所に、美観を損なうことなく表示部１Ｂを設置することができる。
【００４１】
また、発光素子２０は３ｉｎ１タイプのＬＥＤチップであるため、カラーの静止画又は動画を表示部１Ｂに表示することができる。また、略１２ｍｍから略２０ｍｍの間の所定のピッチで発光素子２０が２次元状に配置されているため、近距離（表示部１Ｂの設置位置から１ｍ程度）での視認に適する動画を表示部１Ｂに表示することができる。
【００４２】
例えば、従来のピッチである３０ｍｍ〜６０ｍｍ程度のピッチで発光素子２０が設けられている場合には、近距離で画像を見たときに画像が粗い（すきまが大きい）という問題がある。それに対し、略１２ｍｍから略２０ｍｍの間のピッチで発光素子２０が設けられている場合には、視聴者が近距離から画像を見る場合でも、滑らかな画像として視認させることができる。
【００４３】
また、本実施の形態では、表示部１Ｂの横方向の長さが１２００ｍｍ以上とし、隣接する８×８個の発光素子２０を用いて１つの文字を表示させることで、文字情報が移動するような形態の動画を表示する場合に、滑らかで美しい動画を表示することができる。また、文字情報及び画像情報からなる動画を表示する場合にも、隣接する８×８個（縦８ドット×横８ドット）の発光素子２０を用いて１つの文字を表示させることで、より自然で美しい動画を表示することができる。
【００４４】
なお、本実施の形態では、長さ６００ｍｍの表示ユニット１Ａを横方向に複数並べることで、表示部１Ｂの横方向の長さを１２００ｍｍや、１８００ｍｍとしたが、複数の表示ユニット１Ａを用いて表示部１Ｂとする必要はなく、表示ユニット１Ａの横方向の大きさを１２００ｍｍや１８００ｍｍ等としてもよい。
【００４５】
＜変形例＞
図５は、変形例にかかる表示ユニット１Ｄの概略を示す要部断面図である（図５では、断面を示すハッチングを一部省略している）。表示ユニット１Ｄは、主として、透明フィルム１０と、発光素子２０と、導電膜３０と、接着剤４１と、板状部４２と、フレキシブルプリント基板５０（図５では図示省略）と、を備える。
【００４６】
接着剤４１は、保護部４０と同様に、透明な樹脂材料である。接着剤４１としては、例えばシリコン樹脂、ポリビニルアセタール樹脂、エポキシ樹脂等の透明な高粘度液体を用いることができる。
【００４７】
板状部４２は、可撓性を有する板状の透明な部品であり、例えば薄板ガラス（例えば、厚さが０．１〜０．２ｍｍ程度）や樹脂製のシートにより形成される。板状部４２は、発光素子２０及び導電膜３０を覆うように、透明フィルム１０の表面に設けられる。発光素子２０及び導電膜３０を覆うように、接着剤４１を透明フィルム１０の表面及び裏面上に塗布し、そのうえに板状部４２を重ねてから、接着剤４１を硬化させることにより、板状部４２が透明フィルム１０の表面に設けられる。
【００４８】
このように、接着剤４１及び板状部４２を保護部として、発光素子２０や導電膜３０を保護することができる。
【００４９】
以上、この考案の実施形態を、図面を参照して詳述してきたが、具体的な構成はこの実施形態に限られるものではなく、この考案の要旨を逸脱しない範囲の設計変更等も含まれる。当業者であれば、実施形態の各要素を、適宜、変更、追加、変換等することが可能である。
【００５０】
また、本考案において、「略」とは、厳密に同一である場合のみでなく、同一性を失わない程度の誤差や変形を含む概念である。例えば、略直交とは、厳密に直交の場合には限られず、例えば数度程度の誤差を含む概念である。また、例えば、単に平行、直交等と表現する場合において、厳密に平行、直交等の場合のみでなく、略平行、略直交等の場合を含むものとする。また、本考案において「近傍」とは、基準となる位置の近くのある範囲（任意に定めることができる）の領域を含むことを意味する。例えば、Ａの近傍という場合に、Ａの近くのある範囲の領域であって、Ａを含んでもいても含んでいなくてもよいことを示す概念である。
【符号の説明】
【００５１】
１      ：表示装置
１Ａ    ：表示ユニット
１Ｂ    ：表示部
１Ｃ    ：領域
１Ｄ    ：表示ユニット
１０    ：透明フィルム
２０    ：発光素子
２０ｂ  ：ＬＥＤ
２０ｇ  ：ＬＥＤ
２０ｒ  ：ＬＥＤ
３０    ：導電膜
３０ａ  ：配線
３０ｂ  ：配線
３０ｃ  ：配線
４０    ：保護部
４１    ：接着剤
４２    ：板状部
５０    ：フレキシブルプリント基板
６０    ：制御部
６１    ：ＣＰＵ
６２    ：記憶部
１０１  ：ハンドレール
１０２  ：側板
【図１】
0003203462.tif 000003
【図２】
0003203462.tif 000004
【図３】
0003203462.tif 000005
【図４】
0003203462.tif 000006
【図５】
0003203462.tif 000007